(57)【要約】【課題】本発明はソフトな打球でカップインを可能にし、色々な勾配・傾斜により、ボールの転がりの変化を楽しむパター練習の他に、コミニュケーションツールとして、ゲーム性を持たせたパターマットを提供する。【手段】打ちだし部（１）基材増減部（２）カップ部（３）最終部（４）のそれぞれに特徴をもたせた各部を同一方向につなぎ合わす構成でカップ部の台板・カップ・基材で高低差を最小に抑え、カップ部をゲームマットに入れ替えることでゲーム性を持たせる。さらにカップ部を合体台板と二種類のカップの使い分け、基材のカップ穴の位置を変え、傾斜・勾配を作り、カップ部と基材増減部の継ぎ目部分に傾斜台板を敷く組み合わせでカップ部周辺を多彩に変化させ、ボールの軌道の変化を楽しむ。【選択図】図１
2014076247.tif 000002
【特許請求の範囲】
【請求項１】
打ちだし部（１）基材増減部（２）カップ部（３）最終部（４）のそれぞれに特徴をもたせた各部を同一方向につなぎ合わす構成と、ボールを止める（図２１）。穴に入れる（図２２）のゲームマットをカップ部（３）と入れ替えることでコミニュケーションツールとしてゲーム性を持たせたことを特徴とするパターマット
【請求項２】
台板（１１）カップ（８）基材（５）の構成（図５）でカップ部（３）の高低差を最小に抑えたことを特徴とするパターマット
【請求項３】
合体台板と二種類のカップの使い分け（図１４）（図１５）（図１６）、基材のカップ穴の位置を変えて（図９）、基材端桁（図１７−２４）を利用してカップ部（３）に傾斜・勾配を作り、カップ部（３）と基材増減部（２）の継ぎ目部分、および基材増減部（２）の下に傾斜台板（図１９）を敷く、これらの構成で、カップ穴周辺を多彩に変化させ、ボールの軌道の変化を楽しむことを特徴とするパターマット
【発明の詳細な説明】
【技術分野】
【０００１】本発明はソフトな打球でカップインを可能にし、色々な勾配・傾斜により、ボールの転がりの変化を楽しむパター練習の他に、コミニュケーションツールとしてゲーム性を持たせたパターマットに関するものである。
【背景技術】
【０００２】現在、パターマットはカップ穴を高い所に設け、後方にリターン機能を取り付けたカップの位置と距離が固定されている一連の敷物で、上りのグリーンを形成した、打ち上げタイプが一般的に知られている。
【先行技術文献】
【０００３】
【特許文献１】特許公開２０００−２４１５８号公開
【特許文献２】特許公開平１０−３１４３６０号公開
【発明の概要】
【発明が解決しようとする課題】
【０００４】  従来のパターマットは、次のような欠点があった。
（イ）  ボールの打ち出し位置からカップまでの距離と、カップの位置が固定であるため、方向・打球の強さに慣れてしまい、変化の無い練習になっている。
（ロ）  カップの後方にボールのリターン機能を設けたカバーがあり、カップインしないボールはカバーに当たり戻ってくる。これではカップに対し、自身が打った打球の強さや方向性・カップインしなかったボールがどれほどオーバーしているのか判断することができない。
（ハ）  打ち出し位置は平坦であるが、カップ手前から急な上りになっていて、弱い打球は止まらずに転がり戻る。この有り過ぎる高低差が自然なボールの転がりとソフトな打球でのカップインを不可能にしている。
（ニ）  一人の練習なら適当にボールを置いて打つので支障ないと思われるがゲーム性が無く、直に飽きてしまう。傾斜・アンジュレーション等を設けた場合、打つ位置によってボールの曲がり方も変わり、コース取りが違ってくる。友達との対戦・家族で楽しみながらゲームをする時など、任意の打ち出し位置を設定していないと打った位置で揉める原因になると思われる。
（ホ）  特許文献１はカップ穴周辺に傾斜を設けた考案で素晴らしいと思いますがフック・スライスさせるための傾斜部分に打ち分けが難しく、強い打球では急にボールの軌道の変化は望めないと思われるため、改善の余地があった。
（ヘ）  特許文献２はマット本体の長さ寸法が増減可能となるパターマットの考案で素晴らしいと思いますがファスナー方式とありますが接続部分の膨らみと増減時に手間が掛かりると思われるため、改善の余地があった。
（ト）  現在、パターマットはゴルファーだけのパターマットで有り、家族の中ではお父さんの遊び道具としか理解されていない。お父さんのパター練習の他に色々なゲームを付属することでゴルフ仲間・家族と楽しく遊べるコミュニケーションツールとして利用したい。
本発明はこれらの問題点を解決するために発明されたものである。
【課題を解決するための手段】
【０００５】打ちだし部（１）基材増減部（２）カップ部（３）最終部（４）のそれぞれに特徴をもたせた各部を同一方向に並べる構成（図１）の他にカップ部（３）を合体台板と二種類のカップの使い分け（図１４）（図１５）（図１６）、カップ穴の位置を替え（図９）、傾斜・勾配を作る。さらにカップ部（３）と基材増減部（２）の継ぎ目部分に傾斜台板（図１９）を敷くことでボールの軌道の変化を作る。これらを組み合わせることでカップ穴周辺を多彩に変化させる。
その他に、カップ部（３）にボールを止める（図２１）。穴に入れる（図２２）のゲームマットと入れ替えることでコミニュケーションツールとしてゲーム性を持たせる。                以上の構成よりなるパターマットである。
【発明の効果】
【０００６】本発明を使用することによって
（イ）  打ち出し部（１）の各面を使用することで多種パターンの位置・角度からカップを狙って打つことができ、対戦・家族等のゲームに応用できる。（図８）
（ロ）  基材増減部（２）の基材を同一方向にただ並べるだけで距離を増やし、取り除くと距離を減らせる。打ち出し位置からカップ穴までの距離を最短５０ｃｍ〜１０ｍ以上の距離設定を可能にし、簡単に変更ができる。（図３）
（ハ）  カップ部（３）を台板・カップ・基材の構成（図４）（図５）で問題である高低差を最小に抑えたことで、平坦地と変わらない自然なボールの転がりでカップインが可能になり、ソフトな打球が要求される。
（ニ）  カップ部（３）のカップへ嵌め込む、基材本体の穴の位置を、中心よりもずらして開けたことで、基材本体を回転させて四面を接続すると左側・右側・前側・後側のカップ穴を作ることができ、簡単に替えられる。（図９）
（ホ）  二枚の台板にカップ穴を開け、嵌め込んで重ねた分離式の合体台板の使い分けと二種類のカップを利用することでカップ部（３）に勾配・左右の傾斜を簡単に作ることができる。（図１４）（図１５）（図１６）
（ヘ）  カップ部（３）と基材増減部（２）の継ぎ目部分の底部に傾斜角度を変えられる傾斜台板（図１９）（図２０）を利用することで、カップ部（３）のカップの手前でボールにフック・スライスの軌道の変化を作れる。
（ト）  カップインしなかったボールを強制的に止めていた従来のマットに比べ、最終部（４）の自然に止まる域を設けたことでカップに入らず、オーバーしたボールの位置で打球の強さ・方向性・ボールの転がり方が解る。強過ぎる打球は飛び出し防止バーに当たって止まり、マット外へのボールの散ばりを防止する。（図６）
（チ）  基材増減部５０ｃｍ角の中央部分に２０ｍｍ以下の敷物を置き、基材端桁を利用することで、ボールが上って、下り、その後にカップが有る形の勾配を作ることができる。
（リ）  得点柄や色々なゲーム柄をプリントしたもの（図２１）。また台板と基材に数個の穴を開け、その穴にカップを嵌め込んだもの（図２２）のゲームマットをカップ部（３）と入れ替えるとお父さんのパター練習の他に、家族・仲間と楽しく得点・打数を競い遊ぶ、コミュニケーションツールとして利用できる。
（ヌ）  パターマットに使用している基材（５）を広範囲に施工して、高低差を抑えるカップ部（３）（図５）を設置することで室内全体をグリーンに変える事が可能であり、オフィス等の一部のカーペットを取り外し（１）（２）（３）（２）を埋め込むとパター練習施設にすることができる。
【図面の簡単な説明】
【０００７】
【図１】本発明の全体図である。
【図２】本発明の打ち出し部である。
【図３】本発明の基材増減部の基材の追加による距離の延長図である。
【図４】本発明のカップ部の斜視図である。
【図５】本発明のカップ部の断面図である。
【図６】本発明の最終部である。
【図７】本発明の飛び出し防止バーの分離図である。
【図８】本発明の打ち出し部の接続面による打ち出し位置の変化図である。
【図９】本発明のカップ部の接続面によるカップ穴の変化図である。
【図１０】本発明の台板と嵌め込みガイドを設けたベース台板である。
【図１１】本発明の嵌め込みガイドに台板を重ね合わせた合体台板である。
【図１２】本発明の浅いＬカップと深いＨカップの２種類のカップである。
【図１３】本発明の合体台板をずらしたスライド台板と使用するＬカップと嵌め込む上部傾斜変更スライダーである。
【図１４】本発明のスライドしたベース台板の嵌め込みガイドに上部傾斜変更スライダーの凸部を下側に嵌め込み、傾斜を設置面で安定させた図である。
【図１５】スライド台板に傾斜角度を変える上部傾斜変更スライダーの凸部を上側にして嵌め込み、取り付けた図である。
【図１６】本発明の合体台板とそれに使用するＨカップである。
【図１７】本発明の飛び出しバーを逆にして基材を嵌め込み、基材端桁として利用にした図と基材端桁の単独図である。
【図１８】本発明の基材のカップ穴の位置による合体台板使用時の基材端桁のセット位置図である。
【図１９】本発明の基材増減部（２）とカップ部（３）の基材の継ぎ目に使用して傾斜角度を変えられる傾斜台板の斜視図である。
【図２０】本発明の傾斜台板を使用した時の断面図である。
【図２１】得点をプリントした域にボールを止める得点ゲームマットである。
【図２２】カップ穴を設けてボールを穴に入れるゲームマットである。
【発明を実施ための形態】
【０００８】マットになる基本材料を「５０ｃｍ角のタイルカーペット（登碌商標）」として、これを基材（５）とする。この基材はカットタイプでグリーンと同じ転がりをするもの選び、打ちだし部（１）基材増減部（２）カップ部（３）最終部（４）のそれぞれの各部に特徴をもたせて、課題を解決した本発明の説明をする。
【０００９】打ち出し部（１）は基材（５）に５０ミリの円形を変形扇型に７箇所とセンターに１箇所作り、これを８色に色分けをしてボールのセット位置（図２）を設けた。
四角の基材本体を９０°１８０°２７０°回転させ、各面を接続し、４面を使うことで多種パターンの距離・角度からカップを狙って打つことができる（図８）
【００１０】基材増減部（２）は基材をそのまま使い、接着方法は取らず、簡単に並べるだけの接続で、その数量を増やす・減らす・無くすことで打ち出し部（１）から、カップ部（３）までの距離を最短５０ｃｍ〜１０ｍ以上の距離設定を可能にし、距離変更も簡単にする（図３）
【００１１】  カップ部（３）は以下の（イ）（ロ）（ハ）を解決する。
（イ）  台板（１１）・カップ（８）・基材（５）を重ね合わす構成（図４）（図５）で、高低差を抑えて、ソフトな打球でカップインを可能にする。
（ロ）  カップ部（３）に勾配・傾斜を作り、変化をもたせる。
（ハ）  カップ部（３）を入れ替え、ゴルフ以外の複数のボールゲームを可能にする。
（イ）の課題を解決するために
（Ｉ）台板（１１）は長さ（タテ１２０ｍｍ。ヨコ１５０ｍｍ）厚み（５・５ｍｍ）の木材・樹脂等の物で嵌め込むカップを固定する為に穴を開ける。穴の大きさはカップの直径（９５ｍｍ）より、１ｍｍ程大きめの穴を開け、カップにボールが入った時に嵌め込んだカップが多少、動くことでカップに与える衝撃を吸収し、ボールの飛び出す確率を抑える。
（ＩＩ）カップ（８）はカップの直径（９５ｍｍ）の金属・樹脂等の物でカップインしたボールがバウンドして飛び出さないように、底面より受ける衝撃を少しでも和らげるために、カップの底面に直径より３ｍｍほど小さい円形の衝撃吸収板（１ｍｍ）を接着する。カップ穴を通過して１メートルをオーバーする位の強い打球は、たとえカップインしても飛び出す深さ（１１．５ｍｍ）、高さ（１３．５ｍｍ）の浅いＬカップにした。
（ＩＩＩ）基材（５）は多少の重みと厚みと張りが有り、浮いた状態でもシワ・ヨレ・へこみ・折れが出ない、厚み（１０ｍｍ）をマットの基本材料にした。この基材に中心より、ずらしてカップの直径（９５ｍｍ）の穴を開け、台板（１５）の穴にカップ（８）を挿入して凸状態となっている部分に嵌め込み、四角である基材本体の特性を生かし、回転して各面を接続することでカップ穴の位置を左側・右側・前側・後側に作ること（図９）を可能にする。
この台板（１１）カップ（８）基材（５）を重ね合わせた５０ｃｍ域をカップ部（３）とし、重ねた状態で基材が床面より浮かないことを可能にした。依って、平坦なマット上からカップ部（３）のカップ面までの最高値が（６・５ｍｍ）になり、問題点であったカップ部（３）の急勾配の高低差を最小に抑えた。
（ロ）の課題を解決するために
カップ部（３）に勾配・傾斜を作る為に、二枚の台板にカップ穴を開け、一枚は高低差を抑える時に使用する台板（１１）と、もう片方の台板に嵌め込みガイド（１８）を接着したベース台板（１９）を作り（図１０）、ベース台板（１９）の上側に台板（１１）を嵌め込んで重ねた分離式の合体台板（図１１）を作成した。
この合体台板の特徴は
（Ｉ）高低差を抑える時に合体台板（図１１）から上側をはずして単独で使用する。
（ＩＩ）ベース台板（１９）に嵌め込んだ上側の台板（１１）を左側にスライドさせ、スライド台板（２１）とし、上側の台板の穴に対して下側のベース台板（１９）の一端が掛かる位置で浅いＬカップ（８）をセットする（図１３）。これはベース台板（１９）に浅いＬカップ（８）を乗せる形になり、スライド台板本体（２１）を傾けても、傾斜面に対してカップ面を平行に維持する。
次にスライドした状態でベース台板（１９）の嵌め込みガイド（１８）に角度を変える上部傾斜変更スライダー（２３）の半円凸部分を下に、逆にして嵌め込みセットすることで、上側の台板（１１）の先端と、上部傾斜変更スライダー（２３）の半円凸部分が設置面（２２）に接地することにより、傾斜したスライド台板（２１）が安定する（図１４）。さらに、逆にセットした上部傾斜変更スライダー（２３）を取り外し、半円凸部分を上にして嵌め込みガイドに嵌め込み、移動した位置で基材（５）を嵌め込むことで高角度の傾斜をカップ部の左側・右側に簡単に作る（図１５）。この時に傾斜したスライド台板（２１）と基材が浮いた状態で不安定と思われるが基材（５）は厚みと張りが有るので問題無い。
（ＩＩＩ）上側の台板（１１）とベース台板（１９）の穴同士を重ね、合体台板（２０）として深いＨカップ（１０）をセットし、（図１６）基材（５）を嵌め込み、カップ部（３）本体を回転させることで勾配度は高くなるが強い打球でも飛び出しにくい深いカップの穴をカップ部（３）の左側・右側・前側・後側に作る。
厚みのある合体台板を使用するのに伴い設置面に対し、基材に浮きが出るため、後述の最終部（４）で使用している分離式の２０ｃｍ飛び出し防止バー（１６）を取り外し、ストッパー（１４）を下にしてコ型の基材嵌め込み金具（１３）を基材に嵌め込み、嵩上げの基材端桁（図１７−２４）として利用することで基材を安定させる。                  以上が合体台板の特徴である。
（ハ）の課題を解決するために
基材の着色されていない白色タイプに各種の得点柄や円形柄をプリントして、この域にボールを止めるゲーム（図２１）。台板と基材に穴を開け、カップを嵌め込み、ボールを穴に入れるゲーム（図２２）のゲームマットをカップ部（３）と入れ替えて（１）（２）（図２１）（４）。  （１）（２）（図２２）（４）とする。これに依り、お父さんのパター練習から、簡単に友達・家族で楽しく遊ぶ、競技する、コミュニケーションツールになる。
【００１２】最終部（４）はカップインせずオーバーしたボールが自然に止まる域で、強過ぎる打球は取り付けた正面の飛び出し防止バー（１２）・両サイドの分離飛び出しバー（１５）によって最終的に止める。
この飛び出し防止バーはコ型の金属に正方形の木材または樹脂を接着する。コ型の金属部分は基材に嵌め込む部分で、正方形の木材または樹脂で強い打球のボールを止めるストッパーになる。最終部の後部は基材の長さの５０ｃｍ、両サイドは４９ｃｍとし、２９ｃｍと２０ｃｍの分割として取り外し可能にした。（図６）（図７）これはカップ部（３）および基材増減部（２）に勾配・左右の傾斜を作ると、基材に浮きが出る。その時に分割した２０ｃｍの飛び出し防止バーを取り外し（１６）、浮いている側、または左右にストッパーを下にしてコ型を基材に嵌め込むみ、嵩上げの基材端桁（２４）に利用することで基材を安定させる（図１７）。
以上の（１）（２）（３）（４）を同一方向につなぐ構成からなるパターマットである。
【００１３】カップ部（３）のカップの手前でボールの軌道を変化させるために、
カップ部（３）と基材増減部（２）の継ぎ目部分に傾斜角度を変えられる傾斜台板（図１８）を作成した。
２ｍｍの薄板（２６）の底部にスライダー嵌め込みガイド（２５）を接着し、移動式の下方傾斜変更スライダー（２８）を取り付け、移動することで傾斜角度を変える。基材同士の接続部分は接着方法を取らず、並べるだけにしている為、継ぎ目部分の底敷部に傾斜台板（図１９）を置き、高傾斜角度を作るとカップ部（３）の基材と基材増減部（２）の基材がハ型に浮いてしまう。
これを防ぐため、傾斜台板（図１９）に取り付けた台板基材嵌め込み金具（２７）に基材を嵌め込むことで解消する。
傾斜台板を右側に装着すると左傾斜でフックし、左側に装着すると右傾斜でスライスする。依って、カップの手前で軌道の変化をつくる。
カップ部（３）の合体台板と二種類のカップの使い分け（図１４）（図１５）（図１６）、基材のカップ穴を替え（図９）、傾斜台板を組み合わせる構成で、カップ穴周辺を多彩に変化させ、カップインが難しい、多種の勾配・傾斜を簡単に作ることを可能にし、ボールの転がりの変化を楽しむことを可能にする。
【００１４】本発明を使用するときは
家庭のフローリング・会社の硬質床面などの平らな所に設置域を考え、
（Ｉ）最終部（４）とする基材に飛び出し防止バーを取り付け、床面に置く
（ＩＩ）台板の穴（１１）にカップ（８）を嵌め込んで凸状態になったカップの上から基材（５）を嵌め込み、全体を回転させて、好みのカップ位置を決め（図９）、最終部（４）に接続するとカップ部（３）ができる。
（ＩＩＩ）基材増減部（２）に基材の枚数で好みに合った距離を選び、カップ部（３）に並べて接続する。
（ＩＶ）８箇所の打ち出し箇所を設けている打ち出し部（１）の４面から位置・角度（図８）を選び、基材増減部（２）に接続する。
（４）（３）（２）（１）の順に接続、整列させることでパターマットが完成する（図１）。
【００１５】カップ部（３）で高低差を抑えたソフトな打球を打ちたい場合は
分離式の合体台板（図１１）の嵌め込んだ上側の台板（１１）を取り外し、これを台板にして浅いＬカップ（８）を嵌め込み、凸状態になったカップの上に基材を嵌め込む（図４）。狙うカップ穴の位置は全体を回転して、左側・右側・前側・後側から選ぶ（図９）。
【００１６】強い打球でも飛び出しにくいカップ穴を選びたい場合は
合体させた台板の穴同士を合わせ、深いＨカップ（１０）を嵌め込む（図１６）。合体台板は厚みがあるため、カップ穴の位置によって基材の浮く場所が違ってくる。
（Ｉ）カップ穴が前側・後側の場合、左右に
（ＩＩ）カップ穴が左の場合は左側。カップ穴が右の場合は右側に、
基材に浮きが出来る（図１８）。浮いた基材には、基材端桁（図１７−２４）を利用することで基材を安定させる。
【００１７】カップ部（３）に左・右の傾斜を作りたい場合は
分離式の合体台板（図１１）の嵌め込んだ上側の台板（１１）を左側にスライドさせ、スライド台板（２１）とし、上側の台板の穴に対してベース台板（１９）の一端が掛かる位置で浅いＬカップ（８）をセットする。次にスライドした状態でベース台板（１９）の嵌め込みガイド（１８）に角度を変える上部傾斜変更スライダー（２３）の半円凸部分を下に逆に嵌め込み、セットすることでスライド台板（２１）の傾斜を固定する。（図１４）
（Ｉ）カップを内側、ベース台板（１９）を右外側にして、基材のカップ穴が右側の位置でカップに嵌め込むと左傾斜のカップ部（３）を作る。
（ＩＩ）カップを内側、ベース台板（１９）を左外側にして、基材のカップ穴が左側の位置でカップに嵌め込むと右傾斜のカップ部（３）を作れる。
【００１８】カップ部（３）を角度のある傾斜にしたい場合は
スライドさせたベース台板（１９）の嵌め込みガイド（１８）に逆にセットした上部傾斜変更スライダー（２３）を取り外し、半円凸部分を上側にして取り付ける。上部傾斜変更スライダー（２３）を移動して、傾斜角度を決め、カップに基材を嵌め込むことでより高低差の高い傾斜を作ることができる。
【００１９】カップ部３の手前でボールの軌道を変化させたい場合は
カップ部３と基材増減部２の底部に傾斜台板（図１９）を敷き、台板基材嵌め込み金具（２７）に基材を嵌め込む。右側に設置するとフック、左側に設置するとスライスのボールの軌道をつくる。傾斜角度を変えたい時はスライダー嵌め込みガイド（２５）に下部傾斜変更スライダー（２８）を嵌め込み、移動する事により、自由に角度を変えられる。
【００２０】基材増減部（２）に敷物を利用して急勾配・傾斜を作りたい場合は、
基材増減部５０ｃｍ角の中央部分に最終部（４）の横側の２０ｃｍの短い飛び出し防止バー（１６）を取り外し、敷物とする。真横に置くと、ボールが上って、下る勾配を作り、縦方向に角度をつけて置くとフック・スライスを作る。
【符号の説明】
【００２１】１  打ち出し部
２  基材増減部
３  カップ部
４  最終部
５  基材
６  ボールのセット位置
７  カップ穴
８  Ｌカップ
９  衝撃吸収板
１０  Ｈカップ
１１  台板
１２  飛び出し防止バー
１３  基材嵌め込み金具
１４  ストッパー
１５  分離飛び出し防止バー
１６  ２０ｃｍ飛び出し防止バー
１７  ２９ｃｍ飛び出し防止バー
１８  嵌め込みガイド
１９  ベース台板
２０  合体台板
２１  スライド台板
２２  接地面
２３  上部傾斜変更スライダー
２４  基材端桁
２５  スライダー嵌め込みガイド
２６  薄板
２７  台板基材嵌め込み金具
２８  下部傾斜変更スライダー
２９  傾斜台板
３０  得点プリント
３１  カラープリント
【図１】
2014076247.tif 000003
【図２】
2014076247.tif 000004
【図３】
2014076247.tif 000005
【図４】
2014076247.tif 000006
【図５】
2014076247.tif 000007
【図６】
2014076247.tif 000008
【図７】
2014076247.tif 000009
【図８】
2014076247.tif 000010
【図９】
2014076247.tif 000011
【図１０】
2014076247.tif 000012
【図１１】
2014076247.tif 000013
【図１２】
2014076247.tif 000014
【図１３】
2014076247.tif 000015
【図１４】
2014076247.tif 000016
【図１５】
2014076247.tif 000017
【図１６】
2014076247.tif 000018
【図１７】
2014076247.tif 000019
【図１８】
2014076247.tif 000020
【図１９】
2014076247.tif 000021
【図２０】
2014076247.tif 000022
【図２１】
2014076247.tif 000023
【図２２】
2014076247.tif 000024
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
打ちだし部（１）基材増減部（２）カップ部（３）最終部（４）のそれぞれに特徴をもたせた各部を同一方向につなぎ合わす構成（図１）にカップ部（３）をゲームマット（図２１）（図２２）等に入れ替えることを特徴とするパターマット
【請求項２】
台板（１１）Ｌカップ（８）基材（５）の構成（図５）に依って、カップ部（３）を低く抑えたことで打ち出し位置からカップまでの高低差を最小にしたことを特徴とするカップ部（３）
【請求項３】
穴を開けた台板に嵌め込みガイド（１８）を接着したベース台板（１９）の上部に請求項２の台板（１１）を嵌め込んで重ねる合体台板の穴同士を合わすこと（図１６）で飛び出しにくい深さのカップ穴を作り、合体台板をスライドさせて嵌め込みガイド（１８）に上部傾斜変更スライダー（２３）を嵌め込む構成に依って、カップ部（３）のカップ穴周辺に角度を変える傾斜を作ることを特徴とする分離式の合体台板（図１５）
【請求項４】
薄板（２６）の上部にコ型の台板基材嵌め込み金具（２７）を接着、底部にスライダー嵌め込みガイド（２５）を接着、移動式の下部傾斜変更スライダー（２８）を取り付け、基材に嵌め込む構成に依って傾斜を作り、傾斜の角度を変えることを特徴とする傾斜台板（図１９）
【請求項５】
コ型の金属に正方形の木材または樹脂を接着した飛び出し防止バー（１２）と一部を分離する左右の分離飛び出し防止バー（１５）のストッパー（１４）を上にしてコ型の金属部分を最終部（４）の基材に嵌め込む構成に依って、カップインせずオーバーした強過ぎる打球を最終的に止め、ボールの散ばりを防ぐことを特徴とする飛び出し防止バー（１２）、分離飛び出し防止バー（１５）